(57)【要約】【課題】本発明は、切替式電波暗室を提供する。【解決手段】本発明の切替式電波暗室は、ハウジングと、ハウジングを覆うカバーと、複数の調節板と、駆動部と、を備え、複数の調節板は、反射面及び反射面の反対側に位置する電波吸収面を形成することができ、駆動部は、主動軸、複数の調節板に対応する複数の連動軸及び複数の伝送ベルトを備え、主動軸及び複数の連動軸は、ハウジングに回動可能に装着され、複数の伝送ベルトは、主動軸及び複数の連動軸を接続し、調節板は、ハウジングに回動可能に装着され且つ連動軸に固定接続され、主動軸が回動するとともに複数の伝送ベルトを連動して動かし、複数の伝送ベルトが動くとともに複数の連動軸を連動して回動させ、複数の連動軸は回動するとともに複数の調節板を連動して回動させて、反射面及び電波吸収面を切り替えることにより、電波暗室の全無響室と半無響室との間の切替を実現する。【選択図】図１
2013098544.tif 000002
【特許請求の範囲】
【請求項１】
ハウジングと、前記ハウジングを覆うカバーと、複数の調節板と、駆動部と、を備えてなる切替式電波暗室であって、
複数の前記調節板は、反射面及び前記反射面の反対側に位置する電波吸収面を形成することができ、前記駆動部は、主動軸、複数の前記調節板に対応する複数の連動軸及び複数の伝送ベルトを備え、前記主動軸及び複数の前記連動軸は、前記ハウジングに回動可能に装着され、複数の前記伝送ベルトは、前記主動軸と複数の前記連動軸とを接続し、前記調節板は、前記ハウジングに回動可能に装着され且つ前記連動軸に固定接続され、
前記主動軸が回動するとともに複数の前記伝送ベルトを連動して動かし、複数の前記伝送ベルトが動くとともに複数の前記連動軸を連動して回動させ、複数の前記連動軸が回動するとともに複数の前記調節板を連動して回動させて、前記反射面及び前記電波吸収面を切り替えることにより、電波暗室の全無響室と半無響室との間の切替を実現することを特徴とする切替式電波暗室。
【請求項２】
前記駆動部は、前記主動軸に接続されたモーターをさらに備え、各々の前記連動軸には、連動ローラーが設置され、前記主動軸には、複数の前記連動ローラーに対応する複数の伝送ローラーが設置され、前記伝送ベルトは、前記伝送ローラー及び前記連動ローラーに接続されることを特徴とする請求項１に記載の切替式電波暗室。
【請求項３】
前記ハウジングは、底壁と、前記底壁に対向して設置される頂壁と、前記底壁と前記頂壁との間に設置されて前記頂壁を支持する２つの側壁と、を備え、前記頂壁、２つの前記側壁及び前記底壁が囲んで収容室を形成し、前記駆動部は、前記収容室に収容され、前記主動軸及び複数の前記連動軸は、同じ側壁に回動可能に装着され且つ前記底壁及び頂壁にそれぞれ近接して配置され、複数の前記連動軸は互いに平行となるように配列され、前記モーターは、前記底壁に装着されることを特徴とする請求項２に記載の切替式電波暗室。
【請求項４】
前記頂壁は、前記底壁に離間する表面及び前記頂壁の中央部に設けられて前記収容室に連通される貫通スロットを備え、前記調節板は、前記貫通スロットに収容され、前記反射面が前記表面から露出する場合、前記カバー、前記表面及び前記反射面は、電波暗室の半無響室を形成し、前記電波吸収面が前記表面から露出する場合、前記カバー、前記表面及び前記電波吸収面は、電波暗室の全無響室を形成することを特徴とする請求項３に記載の切替式電波暗室。
【請求項５】
各々の前記調節板の互いに反対側に位置する両側には、反射平板及び電波吸収層が設置され、複数の前記調節板は互いに平行となるように配列され、複数の前記反射平板が前記反射面を形成し、複数の前記電波吸収層が前記電波吸収面を形成することを特徴とする請求項１から４のいずれか一項に記載の切替式電波暗室。
【発明の詳細な説明】
【技術分野】
【０００１】
本発明は、電波暗室に関するものであり、特に携帯電話の輻射をテストするために用いられる切替式電波暗室に関するものである。
【背景技術】
【０００２】
携帯電話、パーソナルコンピューターなどの電子製品は、開発過程で電波暗室を利用してさまざまな異なる輻射テストを行う。電波暗室は、全無響室及び半無響室に分けられ、異なる輻射テストは、全無響室と半無響室との間で交互に行われる。携帯電話に対して異なるテストを行う場合、全無響室と半無響室との間でテスト設備及び携帯電話を移動させなければならないので、設備、人力、時間が追加的に必要となり、製品コストを高めるばかりでなく、且つテストの安定性に影響する可能性がある。
【発明の概要】
【発明が解決しようとする課題】
【０００３】
本発明の目的は、前記課題を解決し、テストの安定性を確保し、且つコストが低い切替式電波暗室を提供することである。
【課題を解決するための手段】
【０００４】
本発明に係る切替式電波暗室は、ハウジングと、前記ハウジングを覆うカバーと、複数の調節板と、駆動部と、を備え、複数の前記調節板は、反射面及び前記反射面の反対側に位置する電波吸収面を形成することができ、前記駆動部は、主動軸、複数の前記調節板に対応する複数の連動軸及び複数の伝送ベルトを備え、前記主動軸及び複数の前記連動軸は、前記ハウジングに回動可能に装着され、複数の前記伝送ベルトは、前記主動軸と複数の前記連動軸とを接続し、前記調節板は、前記ハウジングに回動可能に装着され且つ前記連動軸に固定接続され、前記主動軸が回動するとともに複数の前記伝送ベルトを連動して動かし、複数の前記伝送ベルトが動くとともに複数の前記連動軸を連動して回動させ、複数の前記連動軸が回動するとともに複数の前記調節板を連動して回動させて、前記反射面及び前記電波吸収面を切り替えることにより、電波暗室の全無響室と半無響室との間の切替を実現する。
【発明の効果】
【０００５】
従来の技術に比べて、本発明の切替式電波暗室の調節板には、反射面及び電波吸収面が形成されているので、前記駆動部の駆動によって前記調節板を回転させて、前記切替式電波暗室を全無響室から半無響室に切り替えることができ、従って１つの電波暗室で異なるテストを行うことができ、テスト時間を短縮し、且つテストの安定性を確保する。
【図面の簡単な説明】
【０００６】
【図１】本発明の実施形態に係る切替式電波暗室の概略図である。
【図２】図１に示す切替式電波暗室の切替状態を示す図である。
【図３】図１に示す切替式電波暗室の部分拡大図である。
【発明を実施するための形態】
【０００７】
以下、図面を参照して、本発明の実施形態について説明する。
【０００８】
図１及び図２を参照すると、本発明の実施形態に係わる切替式電波暗室１００は、箱体であり、アンテナ４０を収納して携帯電話（図示せず）に対して輻射テストを行うために用いられる。前記切替式電波暗室１００は、ハウジング１０と、前記ハウジング１０を覆う電波吸収材が塗布されたカバー１０１と、積載台１５と、複数の調節板２０と、駆動部３０（図３を参照）と、を備える。前記ハウジング１０は、底壁１１と、前記底壁１１に対向して設置される頂壁１２と、前記底壁１１と前記頂壁１２との間に設置されて前記頂壁１２を支持する２つの側壁１３と、を備える。前記頂壁１２、前記側壁１３及び前記底壁１１が囲んで収容室１４を形成する。前記頂壁１２は、前記底壁１１に離間する表面１２１及び前記頂壁１２の中央部に設けられて前記収容室１４に連通される貫通スロット１２２を備える。前記表面１２１の前記貫通スロット１２２の周縁には、電波吸収材が塗布される。前記アンテナ４０及び前記積載台１５は、前記頂壁１２の表面１２１における前記貫通スロット１２２の両側にそれぞれに設置される。前記積載台１５は、テストしようとする携帯電話を載置するために用いられる。
【０００９】
本実施形態において、前記切替式電波暗室１００は、３つの前記調節板２０を備える。前記調節板２０は、矩形板である。前記調節板２０の片側には、電磁波の反射材料からなる反射平板２１が設置され、本実施形態において、前記反射平板２１はステンレス板である。前記調節板２０の前記反射平板２１の反対側に位置する片側には、電波吸収層２２が設置される。３つの前記調節板２０は、前記頂壁１２の貫通スロット１２２に並列に設置され、前記反射平板２１及び前記電波吸収層２２は、前記頂壁１２の厚さ方向に前記貫通スロット１２２から突出する。
【００１０】
図３に示されたように、前記駆動部３０は、モーター３１と、主動軸３２と、３つの連動軸３３と、前記主動軸３２と３つの前記連動軸３３とを接続する３つの伝送ベルト３４と、を備える。前記モーター３１は、１つの側壁１３に近接して配置されるように、前記底壁１１に装着される。前記主動軸３２は、前記モーター３１と１つの前記側壁１３との間に回動可能に接続される。前記主動軸３２には、３つの伝送ローラー３２１が互いに離間して設置される。３つの前記連動軸３３は、前記主動軸３２を装着した前記側壁１３に互いに離間し且つ互いに平行となるように回動可能に装着されており、且つ前記頂壁１２に近接して配置される。本実施形態において、前記主動軸３２及び３つの前記連動軸３３は、全てヒンジによって前記側壁１３に対する回動を実現する。各々の前記連動軸３３には、連動ローラー３３１が設置される。各々の前記伝送ベルト３４は、１つの前記伝送ローラー３２１と対応する前記連動ローラー３３１に取り付けられ、３つの前記伝送ベルト３４は互いに干渉せず、前記伝送ベルト３４によって、前記伝送ローラー３２１が回動するとともに前記連動ローラー３３１を連動して回動させる。
【００１１】
図１を参照すると、各々の前記調節板２０の一端は、対応する前記連動軸３３の端部に固定され、各々の前記調節板２０の他端は、ヒンジによって、連動軸３３が装着されている一方の側壁１３の反対側に位置する他方の前記側壁１３に回動可能に装着される。３つの前記反射平板２１が同じ平面に位置すると、３つの前記反射平板２１が反射面２５を形成し且つ前記貫通スロット１２２から突出する。３つの前記電波吸収層２２が同じ平面に位置すると、３つの前記電波吸収層２２が電波吸収面２６を形成し且つ前記表面１２１から突出する。前記表面１２１及び前記カバー１０１に電波吸収材が塗布されているので、前記電波吸収面２６、前記表面１２１及び前記カバー１０１が囲んで電波暗室の全無響室を形成する。
【００１２】
前記切替式電波暗室１００を全無響室から半無響室に切り替える場合、前記主動軸３２は、前記モーター３１の駆動によって回動するとともに３つの前記伝送ベルト３４を連動して動かし、３つの前記伝送ベルト３４が動くとともに３つの前記連動軸３３を連動して回動させ、３つの前記連動軸３３が回動するとともに３つの前記調節板２０を連動して回動させて、３つの前記調節板２０が１８０度回転し、即ち前記反射面２５が前記表面１２１上に露出し、前記反射面２５及び前記カバー１０１は、電波暗室の半無響室を形成する。
【００１３】
前記切替式電波暗室１００の調節板２０には、反射面２５及び電波吸収面２６が形成され、前記駆動部３０の駆動によって、前記調節板２０を１８０度回転させて、前記反射面２５と前記電波吸収面２６との切替を実現して、前記切替式電波暗室１００を全無響室から半無響室に切り替える。このように、テストしようとする携帯電話を異なる電波暗室に移動させなくてもよく、テスト時間を短縮し、且つテストの安定性を確保する。
【００１４】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００１５】
１０  ハウジング
１１  底壁
１２  頂壁
１３  側壁
１４  収容室
１５  積載台
２０  調節板
２１  反射平板
２２  電波吸収層
２５  反射面
２６  電波吸収面
３０  駆動部
３１  モーター
３２  主動軸
３３  連動軸
３４  伝送ベルト
４０  アンテナ
１００  切替式電波暗室
１０１  カバー
１２１  表面
１２２  貫通スロット
３２１  伝送ローラー
３３１  連動ローラー
【図１】
2013098544.tif 000003
【図２】
2013098544.tif 000004
【図３】
2013098544.tif 000005